(57)【特許請求の範囲】
【請求項１】
パラボラアンテナのためのソースであって、
当該ソースの主送信／受信軸に位置付けられるシグマ放射要素と、該シグマ放射要素に供給するためのシグマ供給回路とを含む、シグマチャネルを生成するように構成される、シグマ放射アセンブリと、
当該ソースの前記主送信／受信軸について配置される８つのデルタ放射要素と、デルタ供給回路とを含む、デルタチャネルを生成するように構成される、デルタ放射アセンブリとを含む、
ソース。
【請求項２】
前記シグマ放射要素は、当該ソースの前記主送信／受信軸に対して垂直な平面内に延びる、請求項１に記載のソース。
【請求項３】
前記シグマ放射要素は、放射パッチ（舗装部材又はプレート）と、結合スロットを有する接地平面とを含み、前記結合スロットは、当該ソースの前記主送信／受信軸についての９０度の回転によって配置される、請求項１又は２に記載のソース。
【請求項４】
前記デルタ放射要素は、当該ソースの前記主送信／受信軸の上に中心化される円の上に配置される、請求項１乃至３のうちの１項に記載のソース。
【請求項５】
前記デルタ放射要素は、２つの連続的なデルタ要素の間に４５度の角度間隔で配置される、請求項４に記載のソース。
【請求項６】
各デルタ放射要素は、供給地点を介して前記デルタ供給回路に接続される放射パッチ（舗装部材又はプレート）を含み、全てのパッチ及びそれらの供給地点は、当該ソースの前記主送信／受信軸についての４５度の回転によって配置される、請求項１乃至５のうちの１項に記載のソース。
【請求項７】
前記デルタ放射要素は、当該ソースの前記主送信／受信軸に対して垂直な同じ平面内に延びる、請求項１乃至６のうちの１項に記載のソース。
【請求項８】
前記デルタ放射要素は、当該ソースの前記主送信／受信軸に対して径方向に偏波される、請求項７に記載のソース。
【請求項９】
各デルタ放射要素は、四分の一波長放射パッチを含む、請求項７又は８に記載のソース。
【請求項１０】
各デルタ放射要素は、半波長放射パッチと、寄生パッチとを含む、請求項７又は８に記載のソース。
【請求項１１】
前記デルタ放射要素は、それぞれ、当該ソースの前記主送信／受信軸と平行な平面内に延びる、請求項１乃至６のうちの１項に記載のソース。
【請求項１２】
前記デルタ放射要素は、当該ソースの前記主送信／受信軸に対して接線方向に偏波される、請求項１１に記載のソース。
【請求項１３】
各デルタ放射要素は、半波長ダイポールを含む、請求項１１又は１２に記載のソース。
【請求項１４】
前記デルタ放射要素は、２つのグループの４つのデルタ放射要素を含み、各グループは、ＴＥ２１モードにおいて前記デルタ供給回路によって供給され、１つのグループの前記デルタ放射要素は、他のグループの前記デルタ放射要素に対する９０度の位相シフトで供給される、請求項１乃至１３のうちの１項に記載のソース。
【請求項１５】
各々が異なる周波数バンドにおいて動作する３つのシグマ放射アセンブリと、各々が前記周波数バンドのうちの１つにおいて動作する３つのデルタ放射アセンブリとを含み、前記３つのシグマ放射アセンブリの前記シグマ放射要素は、層をなして配置され、当該ソースの前記主送信／受信軸の上に中心化され、前記シグマ放射要素は、より低い周波数バンドにおいて動作する前記シグマ放射要素より上で、電磁波の伝搬の方向において積み重ねられる、より高い周波数バンドにおいて動作する、請求項１乃至１４のうちの１項に記載のソース。
【請求項１６】
より低い周波数バンドにおいて動作する前記シグマ放射要素は、より高い周波数バンドにおいて動作する前記シグマ放射要素の接地平面と組み合わせられる、請求項３及び１５に記載のソース。
【発明の詳細な説明】
【技術分野】
【０００１】
本発明はパラボラアンテナの焦点に配置されることが意図されるハイパー周波数ソース（源）に関する。
【背景技術】
【０００２】
テレメトリー（遠隔測定法）において用いられるアンテナは、一般的には、パラボラ反射器と、パラボラ反射器の焦点に配置されるソース（源）とを含む。ソースは（例えば、衛星又は飛行車両のような）ターゲット（標的）に信号を送信し或いはターゲットによって送信される信号を受信するのに適する。反射器の機能は、ソースによって送信される信号をターゲットに向かって方向付けること、又はターゲットによって送信される信号をソースに集めることである。
【０００３】
信号が送信される或いは受信される周波数バンド（周波数帯）は、ターゲットの種類に依存する。各ソースは、一般的には、ターゲットの種類に対応する所与の周波数バンドにおいて送信するように構成される。
【０００４】
結果的に、異なる種類のターゲットとデータを交換し得るためには、アンテナのソースを分解して、新しいターゲットを所定の場所に据え付けることが必要である。これらの分解及び組立て作業は時間がかかり、ソースのアライメント及び反射器のアライメントにおいて誤りを引き起こすことがあり、それはアンテナの放射パターンを変更する。
【０００５】
第１の周波数バンドにおいて送信し得る第１のソースと、第２の周波数バンドにおいて送信し得る第２のソースと、主反射器と、二色表面を備える補助反射器とを含む、バイバンドアンテナ(bi-band  antenna)もある。第１のソースは、主反射器の焦点に配置されるのに対し、第２のソースは、補助反射器の焦点に配置される。補助反射器は、第１の周波数バンドにおいて放射線を通し且つ第２の周波数バンドにおいて放射線を反射するように構成される二色表面を含む。第１の周波数バンドにおいてターゲットによって送信される信号は、補助反射器を通過することによって、主反射器によって第１のソースに向かって反射される。第２の周波数バンドにおいてターゲットによって送信される信号は、主反射器及び補助反射器によって連続的に第２のソースに向かって反射される。
【０００６】
しかしながら、そのようなバイバンドアンテナは高価である。なぜならば、とりわけ、それは二色表面を備える反射器の使用を必要とするからである。
【０００７】
文献ＵＳ２０１１／０２９９０３は、３つの周波数バンドにおいて同時に受信し或いは送信するように構成されるマルチバンドソースも開示している。より正確には、ソースは、周波数バンドＬ（１ＧＨｚ〜２ＧＨｚ）、Ｓ（２ＧＨｚ〜４ＧＨｚ）及びＣ（４ＧＨｚ〜８ＧＨｚ）において送信し得る。ソースは、中央円筒導波管と、中央円筒導波管について延び且つ３つのそれぞれの同軸導波管を形成する３つの同軸導電性シリンダとを含む。中央導波管を取り囲む３つの導波管の各々は、２つの連続的なシリンダによって境界付けられる。
【０００８】
中央円筒導波管は、Ｃバンド内で合計チャネル放射（又はシグマチャネル）を生成するように構成される。中央導波管を取り囲む第１の円筒導波管は、Ｃバンド内でチャネル放射差（デルタ）を生成し或いはＳバンド内で合計チャネル放射を選択的に生成するように構成される。第１の導波管を取り囲む第２の円筒導波管は、Ｓバンド内のチャネル放射差又はＬバンド内の合計チャネル放射を選択的に生成するように構成される。最終的に、第２の導波管を取り囲む第３の円筒導波管は、Ｌバンド内のチャネル放射差を生成するように構成される。
【０００９】
導波管は複数の入力ポートを介して同軸転位(coaxial  transition)によって供給される。それらの導波管のサイジング(sizing)は複雑であるので、そのような導波管を励起するのは特に困難である。反射損失を最小限化するために、文献ＵＳ２０１１／０２９１９０３は、ソースが導波管の内側に配置される径方向隆起部を含むことをもたらし、各隆起部は入力ポートに並びにシリンダに連結される。
【００１０】
また、２つの周波数バンドにおいて放射を生成するために同じ導波管が用いられるので、この種類のソースは異なる周波数バンドを分離(decouple)しない。
【発明の概要】
【発明が解決しようとする課題】
【００１１】
本発明の目的は、設計が容易なパラボラアンテナのためのソースを提案することである。
【課題を解決するための手段】
【００１２】
この目的は、パラボラアンテナのためのソースであって、
−  ソースの主送信／受信軸に位置付けられるシグマ放射要素と、シグマ放射要素がシグマチャネル放射を生成するよう、シグマ放射要素に供給するためのシグマ供給回路とを含む、シグマ放射アセンブリと、
−  ソースの主送信／受信軸について配置される８つのデルタ放射要素と、デルタ放射要素がデルタチャネル放射を生成するよう、デルタ放射要素に供給するためのデルタ供給回路とを含む、デルタ放射アセンブリと、を含む、
ソースによって、本発明の範囲内で達成される。
【００１３】
そのようなソースにおいて、デルタチャネル放射は、シグマチャネルの放射とは無関係に生成される。
【００１４】
また、８つのデルタ放射要素の使用は、シグマチャネルとデルタチャネルとの間の分離(decoupling)を向上させる。
【００１５】
ソースは、以下の特徴を更に有し得る。
【００１６】
−  シグマ放射要素は、ソースの主送信／受信軸に対して垂直な平面内に延びる。
【００１７】
−  シグマ放射要素は、放射パッチと、結合スロットを有する接地平面とを含み、結合スロットは、ソースの主送信／受信軸についての９０度の回転によって不変な設計に従って配置される。
【００１８】
−  デルタ放射要素は、ソースの主送信／受信軸の上に中心化される円の上に配置される。
【００１９】
−  デルタ放射要素は、２つの連続的なデルタ要素の間に４５度の角度間隔で配置される。
【００２０】
−  各デルタ放射要素は、供給地点を介してデルタ供給回路に接続される放射パッチを含み、全てのパッチ及びそれらの供給地点は、ソースの主送信／受信軸についての４５度の回転によって不変な設計に従って配置される。
【００２１】
−  デルタ放射要素は、ソースの主送信／受信軸に対して垂直な同じ平面内に延びる。
【００２２】
−  デルタ放射要素は、ソースの主送信／受信軸に対して径方向に偏波される(polarized)。
【００２３】
−  各デルタ放射要素は、四分の一波長放射パッチを含む。
【００２４】
−  各デルタ放射要素は、半波長放射パッチと、寄生パッチとを含む。
【００２５】
−  デルタ放射要素は、それぞれ、ソースの主送信／受信軸と平行な平面内に延びる。
【００２６】
−  デルタ放射要素は、ソースの主送信／受信軸に対して接線方向に偏波される。
【００２７】
−  各デルタ放射要素は、半波長ダイポールを含む。
【００２８】
−  デルタ放射要素は、２つのグループの４つのデルタ放射要素を含み、各グループは、ＴＥ２１モードにおいてデルタ供給回路によって供給され、１つのグループのデルタ放射要素は、他のグループのデルタ放射要素に対する９０度の位相シフトで供給される。
【００２９】
−  ソースは、各々が異なる周波数バンドにおいて動作する３つのシグマ放射アセンブリと、各々が周波数バンドのうちの１つにおいて動作する３つのデルタ放射アセンブリとを含み、３つのシグマ放射アセンブリのシグマ放射要素は、層をなして配置され、ソースの主送信／受信軸の上に中心化され、シグマ放射要素は、より低い周波数バンドにおいて動作するシグマ放射要素より上で、電磁波の伝搬の方向において積み重なねられる、より高い周波数バンドにおいて動作する。
【００３０】
より低い周波数バンドにおいて動作するシグマ放射要素は、より高い周波数バンドにおいて動作するシグマ放射要素の接地平面と組み合わせられる。
【００３１】
本発明は、焦点を有するパラボラ反射器、パラボラ反射器の焦点に配置される、前に定義したようなソースとを含む、アンテナにも関する。
【００３２】
他の目的、特徴及び利点は、例示として非限定的に与えられる添付の図面を参照して、以下の詳細な記述から明らかになるであろう。
【図面の簡単な説明】
【００３３】
【図１】本発明の実施態様に従ったソースを示す図である。
【図２】第１のシグマ放射アセンブリ及び第１のデルタ放射アセンブリを強調したソースを示す図である。
【図３】第２のシグマ放射アセンブリ及び第２のデルタ放射アセンブリを強調したソースを示す図である。
【図４】第３のシグマ放射アセンブリ及び第３のデルタ放射アセンブリを強調したソースを示す図である。
【図５】ソースを示す正面図である。
【図６】シグマ放射要素を示す概略図である。
【図７】第１のデルタ放射アセンブリのデルタ放射要素のパッチを示す概略図である。
【図８】第１のデルタ放射アセンブリの偏波図である。
【図９】第２のデルタ放射アセンブリのデルタ放射要素のパッチを示す概略図である。
【図１０】第３のデルタ放射アセンブリのデルタ放射要素のパッチを示す概略図である。
【図１１】第２又は第３のデルタ放射アセンブリの偏波図である。
【図１２】ソースの主送信／受信軸を含む平面における断面図である。
【発明を実施するための形態】
【００３４】
図１乃至５を参照すると、パラボラアンテナのためのソースＳ（源）は、機械ベース３と、３つの周波数バンドＣ、Ｓ及びＬのためのシグマパターンをそれぞれもたらす３つのシグマ放射アセンブリ１Ｃ、１Ｓ及び１Ｌと、３つの周波数バンドＣ、Ｓ及びＬのためのデルタパターンをそれぞれもたらす３つのデルタ放射アセンブリ２Ｃ、２Ｓ及び２Ｌとを含む。放射アセンブリは、機械ベースに取り付けられる。
【００３５】
放射アセンブリ、以下を含む。
−  第１の周波数Ｌバンドのためのシグマ放射パターンを生成するのに適した第１のシグマ放射アセンブリ１Ｌ、
−  第１の周波数Ｌバンドのためのデルタ放射パターンを生成するのに適した第１のデルタ放射アセンブリ２Ｌ、
−  第２の周波数Ｓバンドのためのシグマ放射パターンを生成するのに適した第２のシグマ放射アセンブリ１Ｓ、
−  第２の周波数Ｓバンドのためのデルタ放射パターンを生成するのに適した第２のデルタ放射アセンブリ２Ｓ、
−  第３の周波数Ｃバンドのためのシグマ放射パターンを生成するのに適した第３のシグマ放射アセンブリ１Ｃ、及び
−  第３の周波数Ｃバンドのためのデルタ放射パターンを生成するのに適した第３のデルタ放射アセンブリ２Ｃ。
【００３６】
デルタ放射パターンは、アンテナの軸に対するターゲットの偏差(deviation)の単調信号関数を供給するのに対し、シグマ放射パターンは、その軸における最大信号をもたらす。これらのパターンは、しるしを伴う偏差測定値をもたらし、測定を正規化する。偏差測定関数は、シグマパターン上でデルタパターンの振幅及び位相の比率を形成することによって得られる。この偏差測定関数の勾配は、シグマパターンの中央部分においてほぼ一定である。既知であるように、全ての周波数バンドＬ、Ｓ及びＣのためにその２つのシグマチャネル及びデルタチャネル上でアンテナによって同時に受信される２つの信号から、ターゲットの位置とアンテナの軸との間の角偏差を抽出することが可能である。
【００３７】
ソースＳは、主送信／受信軸Ａを有する。３つのシグマ放射アセンブリ１Ｃ、１Ｓ及び１Ｌの各々は、ソースＳの主送信／受信軸Ａに対して垂直な平面内に延びる。
【００３８】
３つのシグマ放射アセンブリ１Ｃ、１Ｓ及び１Ｌの各々は、ソースＳの主送信／受信軸Ａ上に位置付けられるシグマ放射要素１１と、シグマチャネル放射を生成するようシグマ放射要素１１に供給するシグマ供給回路１２とを含む。
【００３９】
３つのシグマ放射アセンブリ１Ｃ、１Ｓ及び１Ｌは、図６に概ね示すシグマ放射アセンブリ１に適合する。
【００４０】
図６を参照すると、各シグマ放射要素１１は、円形放射パッチ（又は舗装材料(paving)）１１１と、結合スロット１１３を有する接地平面１１２とを含む。シグマ放射要素１１１は、３つの金属被覆層と、２つの基板とを含む。シグマ放射要素１１及びシグマ供給回路１２は、接地平面１１２によって分離され、接地平面では、結合電磁スロット１１３がエッチング処理されて、シグマ放射要素１１への供給を保証する。
【００４１】
各シグマ放射要素１１は、結合スロット１１３を用いて結合地点１２５のレベルでシグマ供給回路１２と結合される。結合スロット１１３及び結合地点１２５は、ソースＳの主送信／受信軸Ａについての９０度の回転によって不変な設計に従って配置される。この構成の対称性は、干渉偏波を最小限化する。
【００４２】
４つの結合スロット１１３は、十字形に配置される。換言すると、結合スロット１１３は、ソースの主送信／受信軸の上に中心化される２つの垂直軸に従って二つ一組で配置される。各シグマ供給回路１２は、２つの誘電体層内の円形放射パッチ１１１の両側で、２つの層においてそれぞれ位置付けられる、２つの供給ポート１２７ａ及び１２７ｂを含む。これらの２つの供給ポート１２７ａ及び１２７ｂは同相にある。供給ポート１２７ａ及び１２７ｂの各々は、円形放射パッチ１１１の両側に位置付けられ、且つ４つの結合地点１２５ａ１、１２５ａ２、１２５ｂ１及び１２５ｂ２で放射パッチに結合される、２つの供給分枝１２８ａ１及び１２８ａ２並びに１２８ｂ１及び１２８ｂ２をそれぞれ供給する。供給ポート１２７ａ及び１２７ｂは、直線偏波モードをそれぞれ生成し、２つの供給分枝の直線偏波モードは、二つ一組で矩象(phase  quadrature)において直交し、左右両方の方向において円偏波を生成するのを可能にする。
【００４３】
シグマチャネルの放射要素１１の全ては２つの直交軸で対称性を有し、直線偏波及び直交偏波を有する供給ポート１２７ａ及び１２７ｂの間の並びにデルタチャンネル及びシグマチャネルの間の良好な分離(decoupling)を可能にする。
【００４４】
デルタ放射センブリ２Ｓ，２Ｃ，２Ｌの各々は、８つのデルタ放射要素、それぞれ２１Ｓ，２１Ｃ，２１Ｌと、デルタ供給回路、それぞれ２２Ｓ，２２Ｃ，２２Ｌとを含む。同じアセンブリのデルタ放射要素２１Ｓ、２１Ｃ又は２１Ｌは、ソースＳの主送信／受信軸Ａの上に中心化される円の上に配置される。また、デルタ放射要素２１Ｓ，２１Ｃ，２１Ｌは、２つの連続的なデルタ要素２１Ｓ，２１Ｃ，２１Ｌの間に４５度の角度間隔で配置される。
【００４５】
各デルタ放射要素２１Ｓ，２１Ｃ，２１Ｌは、供給地点２２５Ｓ，２２５Ｃ，２２５Ｌを介して関連するデルタ供給回路２２Ｓ，２２Ｃ，２２Ｌに接続される放射パッチ（舗装材料）２１１Ｓ，２１１Ｃ，２１１Ｌを含む。同じデルタ放射アセンブリ２Ｓ，２Ｃ，２Ｌの全てのパッチ２１１Ｓ，２１１Ｃ，２１１Ｌ及びそれらの供給地点２２５Ｓ，２２５Ｃ，２２５Ｌは、ソースＳの主送信／受信軸Ａについての４５度の回転によって不変な設計に従って配置される。
【００４６】
第１のデルタ放射アセンブリ２Ｌのデルタ放射要素２１Ｌは、ソースＳの主送信／受信軸Ａと平行であり且つソースＳの主送信／受信軸Ａのために有する回転柱(cylinder  of  revolution)に対して接線方向の平面内に延びる。
【００４７】
第１のデルタ放射アセンブリ２Ｌの８つのデルタ放射要素の各々は、長方形の形態の誘電体基板２１１Ｌを含むパッチ２１１Ｌと、典型的には銅で作製される金属導体層２１１Ｌとを含む。
【００４８】
図７を参照すると、金属導体２１１３Ｌは、ソースの軸の方向に延びる第１の区画２１１３１Ｌと、ソースの軸に対して垂直な方向に延び且つデルタ放射要素２１Ｌの平面内に含められる第２の区画２１１３２Ｌとを有する。第２の部分は、波長Ｌの第１のバンドの平均波長λの半分と実質的に等しい長さを有する。第１のデルタ放射アセンブリ２１Ｌのデルタ供給回路２２Ｌは、８つのパッチ２１１Ｌの各々のために、パッチの中心に位置付けられる供給地点２２５Ｌのレベルでパッチ２１１Ｌを供給する供給線２２８Ｌを含む。電流がパッチの中心で最大であるよう、各供給線２２８Ｌに供給される電流は反対位相にある。第１のデルタ放射アセンブリ２Ｌのデルタ放射要素２１Ｌの８つのパッチ２１１Ｌの各々は、ダイポールのように、半波長において共振する。図８を参照すると、第１のデルタ放射アセンブリ２Ｌのデルタ容赦要素２１Ｌは、デルタ放射要素２１Ｌを配置する円に対して接線方向に偏波される。
【００４９】
第２のデルタ放射アセンブリ２Ｃのデルタ放射要素２１Ｃは、ソースＳの主送信／受信軸Ａに対して垂直な同じ平面内に延びる。
【００５０】
第２のデルタ放射アセンブリ２Ｓのデルタ放射要素２１Ｓも、ソースＳの主送信／受信軸Ａに対して垂直な同じ平面内に延びる。
【００５１】
図９を参照すると、第３のデルタ放射センブリ２Ｃの８つのデルタ放射要素２１Ｃは、それぞれ、接地平面２１１Ｃ、接地平面２１１Ｃと接触する第１の誘電体基板２１２Ｃと、第１の誘電体基板２１２Ｃ上に形成され且つ接地平面２１３Ｃに短絡して接続される銅製の台形四分の一波長パッチ２１１Ｃとを含む。四分の一波長の台形パッチ２１１Ｃは、供給地点２２５Ｃのレベルで同軸ケーブル２１６Ｃによって供給される。
【００５２】
図１０を参照すると、第２のデルタ放射アセンブリ２Ｓの８つのデルタ放射要素２１Ｓは、それぞれ、接地平面２１３Ｓと、接地平面と接触する第１の誘電体基板２１２Ｓと、第１の誘電体基板２１２Ｃ上に堆積される銅製の半波長の台形パッチ２１１Ｓと、第１の誘電体基板２１２Ｓと平行な平面内の第２の誘電体基板２１４Ｓと、第２の誘電体基板２１４Ｓ上に堆積される銅製の寄生パッチ２１５Ｓとを含む。半波長の台形パッチ２１１Ｓは、供給地点２２５Ｓのレベルで同軸ケーブル２１６Ｓによって供給される。寄生パッチ２１５Ｓは、導波器(director)の役割を演じ、半波長の台形パッチ２１１Ｓによって放射される場を修正する。
【００５３】
図１１を参照すると、第２及び第３の放射アセンブリ２Ｓ及び２Ｃのデルタ放射要素２１Ｓ及び２１Ｃは、ソースＳの主送信／受信軸Ａに対して径方向に偏波される。
【００５４】
第１、第２及び第３のデルタ放射アセンブリのデルタ放射要素２１Ｓ，２１Ｃ，２１Ｌは、２つのグループの４つのデルタ放射要素２１Ｓ，２１Ｃ，２１Ｌを含み、各グループは、ＴＥ２１モードにおいてデルタ供給回路２２Ｓ，２２Ｃ，２２Ｌによって供給され、１つのグループのデルタ放射要素２１Ｓ，２１Ｃ，２１Ｌは、他のグループのデルタ放射要素２１Ｓ，２１Ｃ，２１Ｌに対して矩象において供給される。各デルタ放射アセンブリのデルタ放射要素２１Ｓ，２１Ｃ，２１Ｌは、導波管内に存在するＴＥモードの電磁場と均等な電磁場のマップ（地図）を生成する。
【００５５】
同じデルタ放射アセンブリのデルタ放射要素は等振幅において供給されるので、８つのデルタ放射要素を位置付ける円の半径は、デルタ放射アセンブリの周波数バンドの最大周波数に対応する波長未満である。
【００５６】
中心対称性のシグマ放射要素と関連付けられるデルタ放射要素２１Ｓ，２１Ｃ，２１Ｌの中心対称性は、シグマパターン及びデルタパターンを分離する。結果として得られる利点は、異なる周波数バンドＬ、Ｓ及びＣ内のシグマパターン及びデルタパターンの生成が独立して起こることである。また、それは異なる周波数バンドＬ，Ｓ内のシグマパターン及びデルタパターンが分離される結果になる。
【００５７】
重く高価な導波管で作製される用いることを回避することによって、減少された空間内で、放射線が摂動(perturbed)されないで、異なる周波数バンドにおいて異なって作動する放射要素を連動させて３つの異なる周波数バンドのためにシグマパターン及びデルタパターンを生成することが可能である。
【００５８】
第１、第２及び第３のシグマ放射アセンブリ１Ｓ，１Ｃ，１Ｌのシグマ放射要素１Ｓ，１Ｃ，１Ｌは、ソースＳの主送信／受信軸Ａ上に中心化されて層をなして配置され、各周波数バンド内の放射パッチは、上方ステージのシグマ放射要素１Ｓ，１Ｃ，１Ｌに対する接地平面として働き、シグマ放射要素１Ｓ，１Ｃ，１Ｌは、それらの動作周波数バンドに従って、即ち、最低周波数から最高周波数に向かって、電磁波の伝搬の方向において積み重ねられる。
【００５９】
図１２を参照すると、放射アセンブリ１Ｃ，１Ｓ，１Ｌ及び２Ｃ，２Ｓ，２Ｌの異なる要素が、ソースＳの軸Ａ上に積み重ねられる。電磁波の伝搬の逆方向においてソースの軸を通じて進むとき、異なる要素は、ソースの頂部から底部に、以下の順序において位置付けられる。
−  第３のシグマ放射アセンブリの円形放射パッチ１１１Ｃ。
−  供給回路１２Ｃのポートの分枝を配置する第３のシグマ放射アセンブリの接地平面１１２Ｃ。
−  第３のデルタ放射アセンブリ２Ｃの接地平面２１１Ｃ上に堆積される第３のデルタ放射アセンブリ２Ｃの四分の一波長の台形パッチ２１３Ｃ。
−  第３のデルタ放射アセンブリ２Ｃの四分の一波長の台形パッチ２１３Ｃの中心に位置付けられる第２のデルタ放射アセンブリ２Ｓの放射円形パッチ１１１Ｓ。
−  第２のシグマ放射アセンブリの接地平面１１２Ｓ。その面の各々には、供給回路１２Ｓの部分の分枝が堆積される。
−  第１のシグマ放射センブリの円形放射パッチ１１１Ｌ。
−  第１のシグマ放射アセンブリの接地平面１１２Ｌのレベルに位置付けられる寄生パッチ２１５Ｓ。供給回路１２Ｌ及び第１のシグマ放射アセンブリの接地平面１１２Ｌは、放射デルタ２Ｓの第２のアセンブリの半波長の台形パッチ２１Ｓの中心に位置付けられる。
【００６０】
第１の放射アセンブリ２Ｌの放射要素は、第２の放射アセンブリについて位置付けられる。
【００６１】
ネットワークの最大半径を守る(respect)よう、異なる誘電体２１２Ｃ，２１４Ｓ，２１２Ｓ，１２Ｓ，１２Ｃ，１２Ｌの一定の誘電体が選択される。
【００６２】
記載するソースは、マルチバンドアンテナのための移動ターゲットの追跡、性能係数Ｇ／Ｔ、良好な指向性性能、低い重量及び最小の嵩張りによって特徴付けられる。また、この種類のマルチバンドソースは、大きな直径よりもむしろ小さい直径の主焦点パラボラのために高度に適合される。ソースは、３つの周波数バンドＬ、Ｓ及びＣにおいて同時に受信可能であり、依然として単パルス型の追跡を行う。
【００６３】
放射要素２Ｃ，２Ｓ，２Ｌを位置付ける円の直径を最小限化するという事実は、顕著な追跡勾配(tracking  slope)をもたらすが、追跡勾配が大きければ大きいほど、追跡はより良好である。他方、記載するソースにおいて、追跡勾配又は偏差測定値は、全ての平面において均一であり、受信する信号の偏波に応じて劣化しない。
【００６４】
記載するソースは、周波数バンドＬ＝［１．４；  １．５５ＧＨｚ］、Ｓ＝［２．２；  ２．４ＧＨｚ］及びＣ＝［５．０；  ５．２５ＧＨｚ］における機能に特に良く適合される。記載するソースは、例えば、Ｓバンド内に既に存在する受信システムを維持し、将来のＣバンドのためにこのシステムを予め備える。また、記載するソースを用いるならば、周波数バンド、ソース変更作業要求手段(source  change  operation  requiring  means)、操作時間及び調節を変更するためにソースを変更することは、もはや不要である。
【００６５】
電気通信の他の周波数バンド、テレメトリー、又は任意の他の受信周波数バンドを生成するためにも、本発明を実行し得る。
【００６６】
記載するマルチバンドソースは、主パラボラ反射器の焦点に配置される。記載するマルチバンドソースは、特に小さい直径のアンテナで、一般的にカセグレン取付けとして知られる、２つの反射器、主反射器及び副反射器を用いる据付けの使用を防止する。従って、二色副反射器の使用は必要とされず、これは別個のソース間の結合問題も防止する。
【００６７】
ソースは、３つの周波数バンドＬ、Ｓ及びＣにおける移動ターゲットの単パルス追跡及び受信を同時に引き受け、軽量でコンパクトである。
【図１】
0006047673.tif 000002
【図２】
0006047673.tif 000003
【図３】
0006047673.tif 000004
【図４】
0006047673.tif 000005
【図５】
0006047673.tif 000006
【図６】
0006047673.tif 000007
【図７】
0006047673.tif 000008
【図８】
0006047673.tif 000009
【図９】
0006047673.tif 000010
【図１０】
0006047673.tif 000011
【図１１】
0006047673.tif 000012
【図１２】
0006047673.tif 000013